(57)【特許請求の範囲】
【請求項１】
遊技機本体の正面側に設けられ、遊技球を貯留する貯留皿を有する貯留ユニットを備えた遊技機であって、
前記貯留ユニットの底部を構成する底面部材の鉛直下面は、前記遊技機本体の奥側から正面側に向かうに従って鉛直上方に傾斜しており、該底面部材のうち少なくとも鉛直下面は、酸素指数が２６以上の材料で構成されていることを特徴とする遊技機。
【請求項２】
前記酸素指数が２６以上の材料は、ポリカーボネート、フェノール樹脂、フッ素樹脂、ポリアミド、ポリ塩化ビニリデン、ポリ塩化ビニル、ユリア樹脂、ケイ素樹脂、およびメラミン樹脂の群から選択される１または複数の樹脂であることを特徴とする請求項１に記載の遊技機。
【請求項３】
前記底面部材の鉛直下面は、
前記遊技機本体の幅方向中央側が幅方向両端側よりも鉛直上方に位置する湾曲形状であることを特徴とする請求項１または２に記載の遊技機。
【発明の詳細な説明】
【技術分野】
【０００１】
本発明は、貯留ユニットに対する火による器物損壊を抑制する遊技機に関する。
【背景技術】
【０００２】
一般的に、遊技機（パチンコ機）には、払い出された遊技球が貯留される貯留皿を有する貯留ユニットが、遊技機本体の正面側に設けられている。近年の遊技機には、貯留ユニットとして、払い出された遊技球を貯留するとともに発射機構に遊技球を供給する上皿ユニットと、上皿ユニットの鉛直下方に設けられ、上皿ユニットに貯留された遊技球が所定数を超えたときに、その超えた分の払い出された遊技球を貯留する下皿ユニットとが設けられている。このような上皿ユニットや下皿ユニットは、成形が容易であり、多種多様なデザインを施すことが可能な合成樹脂で構成されている。
【０００３】
ところで、遊技者の中には、ライターやマッチで遊技機に火を付けたり、火のついたタバコを遊技機に押しつけたりして、遊技機に損傷を与える者（以下、単に不審者と称する）がいる。特に、上皿ユニットや下皿ユニットといった貯留ユニットの底部を構成する底面部材の鉛直下面は、周囲からの視認性が悪いため、いたずら目的や放火目的の器物損壊（以下、放火と称する）の対象となりやすい。また、遊技者は、下皿ユニットや球箱から上皿ユニットへ遊技球を移動するために、上皿ユニットと下皿ユニットの間や、下皿ユニットと球箱の間に手を入れることがある。したがって、火を付ける際の不審者の動作と、遊技球の移動を行う善意の遊技者の動作とは、区別がつきにくいこともあり、貯留ユニットの底部を構成する底面部材の鉛直下面は、放火の対象となりやすい。
【０００４】
そこで、貯留ユニットの底面部材を中空形状とし、かかる中空の部分に炭酸水素ナトリウム等の消火剤を充填し、底面部材の鉛直下面を熱で溶けやすい材質で構成することで、鉛直下面が放火されたときに、鉛直下面が溶けて中空の部分が開放され消火剤が放出されて消火を行う技術が開示されている（例えば、特許文献１）。
【先行技術文献】
【特許文献】
【０００５】
【特許文献１】特開２０１１−１５６２４９号公報
【発明の概要】
【発明が解決しようとする課題】
【０００６】
しかし、特許文献１の技術では、放火後に遊技機の他の部分や他の遊技機への延焼を防止することはできるが、不審者による放火自体を抑制することはできない。
【０００７】
また、演出の多様化に伴って、貯留ユニットには、演出操作装置やＬＥＤ等の発光装置が設けられているものも多い。特に近年、よりダイナミックな演出を行うために、演出ボタン等の演出操作装置や発光装置が大型化する傾向にある。したがって、貯留ユニットにおいて、上述した特許文献１に記載された消火剤を充填するためのスペースを確保することが困難になってきている。
【０００８】
本発明の目的は、貯留ユニットにおける底面部材の鉛直下面の周囲からの視認性を向上することで不審者による放火を抑制し、放火があったとしても延焼を防止可能な遊技機を提供することである。
【課題を解決するための手段】
【０００９】
上記課題を解決するために、本発明の遊技機は、遊技機本体の正面側に設けられ、遊技球を貯留する貯留皿を有する貯留ユニットを備えた遊技機であって、前記貯留ユニットの底部を構成する底面部材の鉛直下面は、前記遊技機本体の奥側から正面側に向かうに従って鉛直上方に傾斜しており、該底面部材のうち少なくとも鉛直下面は、酸素指数が２６以上の材料で構成されていることを特徴とする。
【００１０】
また、前記酸素指数が２６以上の材料は、ポリカーボネート、フェノール樹脂、フッ素樹脂、ポリアミド、ポリ塩化ビニリデン、ポリ塩化ビニル、ユリア樹脂、ケイ素樹脂、およびメラミン樹脂の群から選択される１または複数の樹脂であるとよい。
【００１１】
また、前記底面部材の鉛直下面は、前記遊技機本体の幅方向中央側が幅方向両端側よりも鉛直上方に位置する湾曲形状であるとよい。
【図面の簡単な説明】
【００１２】
【図１】本実施形態における遊技機の開放状態の斜視図である。
【図２】遊技機の正面図である。
【図３】上皿ユニットを説明するための図である。
【図４】変形例の上皿ユニットを説明するための図である。
【発明を実施するための形態】
【００１３】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１４】
図１は、本実施形態における遊技機１の開放状態の斜視図である。図１に示すように、遊技機１は、略矩形状に組まれた四辺によって囲繞空間が形成される外枠２と、この外枠２に開閉自在に軸支され、不図示の遊技盤が保持される中枠３と、この中枠３と同様に、外枠２に開閉自在に軸支され、ガラス製または樹脂製の透過板４が保持される前枠５と、を備えている。
【００１５】
図２は、遊技機１の正面図である。この図に示すように、前枠５の下部には、遊技機１の正面側に突出する操作ハンドル１２が設けられている。この操作ハンドル１２は、遊技者が回転操作可能に設けられており、遊技者が操作ハンドル１２を回転させて発射操作を行うと、当該操作ハンドル１２の回転角度に応じた強度で、不図示の発射機構によって遊技球が発射される。このようにして発射された遊技球は、遊技盤に設けられたレール間を上昇して遊技領域に導かれるとともに、遊技領域に設けられた入賞口に入賞することで、種々の遊技が進行制御され、また、遊技者に賞球として遊技球が払い出されることとなる。
【００１６】
また、前枠５の上部位置や外枠２の最下部位置には、遊技機１の正面側に向けられたスピーカからなる音声出力装置２２が設けられている。
【００１７】
また、前枠５における遊技機１の幅方向略中央位置には、上皿ユニット（貯留ユニット）１００が設けられている。上皿ユニット１００は、遊技機１から払い出される賞球や、遊技機１とは別個に設置された遊技球貸出装置から貸し出される遊技球を貯留する。上皿ユニット１００が遊技球で一杯になると、遊技球は吐出口３０を通じて下皿ユニット２００に導かれることとなる。
【００１８】
下皿ユニット２００は、上皿ユニット１００の鉛直下方に設けられており、吐出口３０を通じて導かれた遊技球を貯留する。また、下皿ユニット２００の底面には、当該下皿ユニット２００から遊技球を排出するための球抜き孔（不図示）が形成されている。この球抜き孔は、通常、開閉板（不図示）によって閉じられているが、球抜きつまみ２０１を図中左右方向にスライドさせることにより、当該球抜きつまみ２０１と一体となって開閉板がスライドし、球抜き孔から下皿ユニット２００の下方に遊技球を排出することが可能となっている。そして、下皿ユニット２００から排出された遊技球は、下皿ユニット２００の鉛直下方（図２中、Ｚ軸方向）に配される不図示の球箱に貯留されることとなる。
【００１９】
また、上皿ユニット１００における遊技機１の幅方向略中央位置であって、かつ、透過板４よりも下方位置には、遊技者の押下操作を受け付けるボタンからなる演出操作装置１１０が設けられている。
【００２０】
ところで、遊技者の中には、ライターやマッチで上皿ユニット１００に火を付けたり、火のついたタバコを上皿ユニット１００に押しつけたりして、遊技機１に損傷を与える不審者がいる。そこで、本実施形態では、上皿ユニット１００の形状および材質を工夫することで、上皿ユニット１００への放火を抑制し、また放火による上皿ユニット１００からの延焼を防止する。以下、本実施形態にかかる上皿ユニット１００について詳述する。
【００２１】
（上皿ユニット１００）
図３は、上皿ユニット１００を説明するための図であり、図２におけるＸＺ断面の部分拡大図である。図３に示す矢印Ｆ方向を遊技機１の正面側とし、矢印Ｒ方向を遊技機１の奥側として説明する。
【００２２】
図３に示すように、上皿ユニット１００は、その上部であって、遊技機１における正面側に、ボタンからなる演出操作装置１１０を備えている。また、演出操作装置１１０の奥側には、遊技球を貯留する皿部１２０（貯留皿）が設けられている。さらに、上皿ユニット１００の底部は、底面部材１３０によって構成されている。
【００２３】
本実施形態において底面部材１３０の鉛直下面１３０ａは、遊技機１（遊技機本体）の奥側から正面側に向かうに従って鉛直上方に傾斜している。すなわち、鉛直下面１３０ａと、下皿ユニット２００の皿部２２０の天面を含む水平面（図３におけるＸＹ平面、図３中、破線で示す）との距離は、遊技機１の正面側の距離Ｌｆが、遊技機１の奥側の距離Ｌｒより大きい。
【００２４】
上皿ユニット１００の底面部材１３０の鉛直下面１３０ａをこのように傾斜させることによって、鉛直下面１３０ａを遊技機１の正面側に臨ませることができ、周囲からの視認性を向上させることが可能となる。これにより、周囲から見られているという心理的負荷を不審者に与えることができ、かかる心理的負荷を鉛直下面１３０ａへの放火の抑止力として機能させることが可能となる。
【００２５】
また、鉛直下面１３０ａが遊技機１の正面側に向かうに従って鉛直上方に傾斜していることから、上皿ユニット１００と下皿ユニット２００との間に形成された空間Ｓに存在する気体が空間Ｓ中に滞留する事態を回避することができる。
【００２６】
また、図２に示すように、底面部材１３０の鉛直下面１３０ａは、遊技機１本体の幅方向中央側が幅方向両端側よりも鉛直上方に位置する湾曲形状である。鉛直下面１３０ａを湾曲形状にすることにより、上皿ユニット１００と下皿ユニット２００との間に形成された空間Ｓに存在する気体を整流して、遊技機１本体の幅方向（図２中Ｘ軸方向）中央側に集めることができる。そうすると、不審者が空間Ｓにおいて放火を行った場合、放火によって生じた煙は、遊技機１本体の幅方向中央側に集められるとともに、鉛直下面１３０ａの傾斜に従って空間Ｓから遊技機１の正面側に流出することとなる。これにより、周囲の遊技者や遊技場の従業員は、遊技機１への放火を早期に発見することが可能となる。
【００２７】
また、底面部材１３０、下皿ユニット２００の皿部２２０、および、前枠５における上皿ユニット１００と下皿ユニット２００との間に位置する背面部５ａは、ＪＩＳ  Ｋ  ７２０１「酸素指数法による高分子材料の燃焼試験法」に基づいた酸素指数が２６以上の材料で構成されている。かかる材料は、例えば、ポリカーボネート（ＰＣ）、フェノール樹脂（ＰＦ）、フッ素樹脂（ＰＦＥ）、ポリアミド（ＰＡ）、ポリ塩化ビニリデン（ＰＶＤＣ）、ポリ塩化ビニル（ＰＶＣ）、ユリア樹脂（ＵＦ）、ケイ素樹脂（ＳＩ）、およびメラミン樹脂（ＭＦ）の群から選択される１または複数の樹脂が挙げられる。また、酸素指数が２６未満の樹脂、例えば、アクリロニトリル・ブタジエン・スチレン共重合樹脂（ＡＢＳ）、アクリロニトリル・スチレン共重合樹脂（ＡＳ）、エポキシ樹脂（ＥＰ）、不飽和ポリエステル樹脂（ＵＰ）、ポリアセタール（ＰＯＭ）、ポリウレタン（ＰＵＲ）、ポリエチレン（ＰＥ）、ポリスチレン（ＰＳ）、ポリプロピレン（ＰＰ）、およびポリメタクリル酸メチル（ＰＭＭＡ）の群から選択される１または複数の樹脂に、アンチモン化合物系、金属水酸化物系、ハロゲン化合物系、リン化合物系等の難燃剤を混合して酸素指数を２６以上としたものを利用することもできる。
【００２８】
このように、底面部材１３０、皿部２２０、および背面部５ａを、酸素指数が２６以上の材料で構成することにより、不審者によって放火されたとしても他の部材や他の遊技機１への延焼を防止することができる。特に、上述したように、上皿ユニット１００には、演出操作装置１１０が設けられているため、底面部材１３０を酸素指数が２６以上の材料で構成することにより、演出操作装置１１０の破損を防止することが可能となる。したがって、不審者によって放火されたとしても底面部材１３０のみを交換すればよく、放火後のメンテナンス性を向上させることができる。
【００２９】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００３０】
例えば、上述した実施形態において、貯留ユニットとして上皿ユニット１００の底面部材１３０の鉛直下面１３０ａが傾斜する場合を例に挙げて説明したが、貯留ユニットとして下皿ユニット２００の底面部材２３０の鉛直下面２３０ａが傾斜していてもよい。この場合も、鉛直下面２３０ａは、遊技機１本体の奥側から正面側に向かうに従って鉛直上方に傾斜している。すなわち、鉛直下面２３０ａと、下皿ユニット２００の下方に位置するとともに球箱が載置される、島の台の上面を含む水平面との距離は、遊技機１の正面側の距離が、遊技機１の奥側の距離より大きい。
【００３１】
また、この場合も、底面部材２３０のうち少なくとも鉛直下面２３０ａは、酸素指数が２６以上の材料で構成されるとよい。なお、この場合、外枠２における下皿ユニット２００の下方に位置する背面部２ａ（図２参照）を酸素指数が２６以上の材料で構成するとよい。
【００３２】
また、上述した実施形態において、鉛直下面１３０ａと、下皿ユニット２００の皿部２２０の天面を含む水平面との距離が、遊技機１の奥側から正面側に向かうに従って概ね一定の割合で漸増するように構成された底面部材１３０について説明した。しかし、鉛直下面１３０ａが、遊技機１の奥側から正面側に向かうに従って鉛直上方に傾斜していればよく、例えば、図４に示す変形例の上皿ユニット１００のように、前枠５に向かって凸形状に湾曲していてもよい。すなわち、遊技機１の正面側から奥側に向かうに従って、鉛直下面１３０ａと、下皿ユニット２００の皿部２２０の天面を含む水平面との距離が小さくなる比率が、漸増するように湾曲していてもよい。このような変形例では、上皿ユニット１００と前枠５との接触面積を大きくすることができ、上皿ユニット１００の剛性を向上させることができる。
【００３３】
また、底面部材１３０の鉛直下面１３０ａに複数の羽根部で構成されるフィンを設けてもよい。フィンを設けることで、鉛直下面１３０ａを放冷することができ、放火された場合であっても、鉛直下面１３０ａを着火しにくくすることが可能となる。なお、フィンを設ける場合、羽根部間の距離を、タバコの径よりも小さくする（例えば、３ｍｍ）ことで、タバコが差し込まれてフィンに固定される事態を回避することができる。
【符号の説明】
【００３４】
１     …遊技機
１００  …上皿ユニット（貯留ユニット）
１２０、２２０  …皿部（貯留皿）
１３０、２３０  …底面部材
１３０ａ、２３０ａ  …鉛直下面
２００  …下皿ユニット（貯留ユニット）
【図１】
0005860718.tif 000002
【図２】
0005860718.tif 000003
【図３】
0005860718.tif 000004
【図４】
0005860718.tif 000005